(57)【要約】【課題】しおりが一体に取り付けられているにも関わらず、製造コストを抑えることができ、しかも、使い勝手を向上させること。【解決手段】ブックカバーは、書籍の表紙を覆って書籍及びその表紙を保護するための主面部材１１と、主面部材の一端側から延びて書籍の表表紙の裏側へ折返して形成されると共に上縁部と下縁部とが主面部材の上縁部と下縁部とにそれぞれ接合された表表紙折返部材２０と、主面部材の他端側から延びて書籍の裏表紙の裏側へ折返して形成される裏表紙折返部材３０と、表表紙折返部材の端部から一体的に形成され、表表紙折返部材に対してしおり片４１，４２，４３として分離可能に上下にわたって破断線Ｔが刻まれ、下縁部が主面部材の下縁部に接合されるしおり部材４０とを備える。【選択図】図１
2018187804.tif 000002
【特許請求の範囲】
【請求項１】
書籍の表紙を覆って前記書籍及びその表紙を保護するための主面部材と、
前記主面部材の一端側から延びて前記書籍の表表紙の裏側へ折返して形成されると共に、上縁部と下縁部とが前記主面部材の上縁部と下縁部とにそれぞれ接合された表表紙折返部材と、
前記主面部材の他端側から延びて前記書籍の裏表紙の裏側へ折返して形成される裏表紙折返部材と、
前記表表紙折返部材の端部から一体的に形成され、前記表表紙折返部材に対してしおり片として分離可能に上下にわたって破断線が刻まれ、下縁部が前記主面部材の下縁部に接合されるしおり部材とを備えていることを特徴とするブックカバー。
【請求項２】
前記しおり部材の上下長は前記表表紙折返部材の上下長より短いことを特徴とする請求項１に記載のブックカバー。
【請求項３】
前記しおり部材の上下長は前記表表紙折返部材の上下長の１／２より長いことを特徴とする請求項２に記載のブックカバー。
【請求項４】
前記しおり部材には前記破断線と平行に少なくとも１本の他の破断線が刻まれていることを特徴とする請求項１に記載のブックカバー。
【請求項５】
前記しおり部材は上縁が階段状に形成されてなり、その段差に沿って前記破断線と前記他の破断線が前記しおり部材に刻まれていることを特徴とする請求項４に記載のブックカバー。
【請求項６】
前記しおり部材は前記破断線と前記他の破断線に対応して異なる色又は模様が印刷されていることを特徴とする請求項４に記載のブックカバー。
【請求項７】
前記主面部材の上縁部に上縁部が接合される他のしおり部材が前記しおり部材に破断線を介して設けられることを特徴とする請求項１に記載のブックカバー。
【請求項８】
前記主面部材の他端側には、上縁部と下縁部が前記主面部材の上縁部と下縁部にそれぞれ接合される帯状部材が設けられることを特徴とする請求項１に記載のブックカバー。
【請求項９】
前記帯状部材の上縁部と下縁部にはそれぞれマチ部が設けられることを特徴とする請求項８に記載のブックカバー。
【発明の詳細な説明】
【技術分野】
【０００１】
本発明は、書籍に装着するブックカバーに関し、特に途中ページに挟みこむしおり機能を備えたものに関する。
【背景技術】
【０００２】
従来、書籍を保護するためのブックカバーが知られている。また、書籍の途中ページの目印として、書籍自体の背表紙側に紐状のしおりが取り付けられている場合や、書籍から独立した別パーツとして短冊状の紙片をしおりとして用いる場合がある。
【０００３】
書籍自体に取り付けられる紐状のしおりは、製本時に工程が増えてコスト高となるという理由で取り付けられない場合が増えてきた。また、書籍に付いている場合であっても書籍の頁を開いたり、閉じたりする過程で探す必要があった。一方、短冊状のしおりについても、書籍の頁を開いたり、閉じたりする過程で書籍から脱落して紛失する虞がある。
【０００４】
一方、予めしおりが取り付けられることで、上述したような不便を解決したブックカバーが知られている（例えば、特許文献１，２参照。）。
【先行技術文献】
【特許文献】
【０００５】
【特許文献１】特許３７２３５２５号公報
【特許文献２】特許４６２４４４４号公報
【発明の概要】
【発明が解決しようとする課題】
【０００６】
上記したしおり付きのブックカバーにあっては次のような問題があった。すなわち、しおりをブックカバーに設けるための構造が複雑であるため、製造コストが高くなっていた。またしおり自体を使用しない場合には邪魔になることもあった。このため、書店等でサービスのため無料で提供するブックカバーとして提供することは行われていなかった。
【０００７】
そこで、本発明は、しおりが一体に取り付けられているにも関わらず、製造コストを抑えることができ、しかも、使い勝手の良いブックカバーを提供することを目的としている。
【課題を解決するための手段】
【０００８】
本発明の一側面に係るブックカバーは、書籍の表紙を覆って書籍及びその表紙を保護するための主面部材と、主面部材の一端側から延びて書籍の表表紙の裏側へ折返して形成されると共に上縁部と下縁部とが主面部材の上縁部と下縁部とにそれぞれ接合された表表紙折返部材と、主面部材の他端側から延びて書籍の裏表紙の裏側へ折返して形成される裏表紙折返部材と、表表紙折返部材の端部から一体的に形成され、表表紙折返部材に対してしおり片として分離可能に上下にわたって破断線が刻まれ、下縁部が主面部材の下縁部に接合されるしおり部材とを備える。
【発明の効果】
【０００９】
本発明の一側面によれば、しおり片が一体に取り付けられているにも関わらず、製造コストを抑えることができ、しかも、使い勝手の良いブックカバーを提供することが可能となる。
【図面の簡単な説明】
【００１０】
【図１】本発明の一実施の形態に係るブックカバーを示す説明図。
【図２】同ブックカバーの要部を示す断面図。
【図３】同ブックカバーの使用状態を示す説明図。
【図４】同ブックカバーの製造工程を示す説明図。
【図５】同ブックカバーの第１変形例を示す説明図。
【図６】同ブックカバーの第２変形例を示す説明図。
【図７】同ブックカバーの第３変形例を示す説明図。
【図８】同ブックカバーの第４変形例を示す説明図。
【図９】参考例としてブックカバーを示す説明図。
【図１０】同ブックカバーの使用状態を示す説明図。
【図１１】同ブックカバーの使用状態を示す説明図。
【発明を実施するための形態】
【００１１】
図１〜図４は、本発明の一実施の形態に係るブックカバー１０を示す説明図である。図１に示すように、ブックカバー１０は、書籍１００を保護するものであり、例えば任意の文字や色、模様が印刷されたポリプロピレン等の高分子化合物又は紙製の１枚のシート状の基材から切り出され、所定の位置を溶着や熱圧着により、または接着剤を使用して接合することにより形成されている。なお書籍１００は、図３に示すように、複数枚の本体印刷紙１０１と、本体印刷紙１０１の両側にそれぞれ設けられた表表紙１０２、裏表紙１０３、図示しないしないが背表紙を備えている。
【００１２】
図１及び図３に示すように、ブックカバー１０は、書籍１００の表表紙１０２、裏表紙１０３お呼び背表紙を覆ってそれらを保護するための横長の長方形状の主面部材１１を備えている。主面部材１１は、例えば書籍の一例である単行本の表紙を覆って保護するためのものであるため、主面部材１１は、目的とする単行本等の書籍を開いた大きさとほぼ同じ又は若干大きいサイズに形成される。
【００１３】
この横長の長方形状の主面部材１１の一端側には、書籍の表表紙の裏面側に折返される表表紙折返部材２０が一体的に設けられる。主面部材１１の他端部には、書籍の裏表紙の裏面側に折返される裏表紙折返部材３０が設けられる。表表紙折返部材２０の上縁部及び下縁部は主面部材１１の上縁部及び下縁部にそれぞれ接合される。勿論基材がポリプロピレン等の高分子化合物製であれば溶着される。裏表紙折返部材３０は、折り返されたままの状態で主面部材１１には接合されない。表表紙折返部材２０及び裏表紙折返部材３０の上下長は主面部材１１のそれと同じである。なお、裏表紙折返部材３０はその端側に向かって漸近的に少し短くなっている。
【００１４】
書籍１００の表表紙１０２は、主面部材１１の右半分と、それに上下縁が溶着された表表紙折返部材２０との間の袋状体部分に差し込まれて保持される。書籍１００の裏表紙１０３は、主面部材１１の左半分と、折り返された裏表紙折返部材３０との間に挟まれる。または書籍１００の裏表紙１０３は、主面部材１１の左半分と後述する帯状部材５０との間の間隙に裏表紙折返部材３０と共に差し込まれて保持される。
【００１５】
表表紙折返部材２０の他端側にはそれと一体的に短冊形状のしおり部材４０が形成される。しおり部材４０には上下方向に沿った少なくとも１本の破断線Ｔがミシン目状に刻まれている。しおり部材４０の下縁部は表表紙折返部材２０と同工程で主面部材１１の下縁部に接合され、一方、上縁部は主面部材１１には接合されず開放されている。しおり部材４０の上下長は表表紙折返部材２０の上下長より短く、その１／２よりも若干長いため、しおり部材４０の上縁は表表紙折返部材２０の上端までは達せず、その中間位置より若干上方の位置に留まる。
【００１６】
しおり部材４０が破断線Ｔに沿って破断されてしおり片（しおり、ブックマーク）として利用される際に、しおり部材４０が表表紙折返部材２０の上下長や書籍の上下長の半分よりもやや長い程度の長さであって、上縁部が開放され下縁部が接合されている構造こそが、読書の進捗程度に応じて変化する特定ページまでの厚みに柔軟に対処してそのページ間から外れにくく、それを使用しない読書中にも長すぎて邪魔になることもなく、そして見開きページに重なって邪魔にもならず、そしてしおり片として見開きページに挟み込む際には下側から親指により押し上げて当該ページ間に挟みこむ簡易な作業でしおりとして活用でき非常に使い勝手が良いものとなる。
【００１７】
しおり部材４０の破断線Ｔは上述の通りミシン目状に形成されており、人の手の力で容易に破断できる。使用者が破断線Ｔで破断することで、しおり部材４０を表表紙折返部材２０から１本ずつしおり片（しおり）４１〜４３として分離することができる。分離されたしおり片４１〜４３は、その下縁部で主面部材１１に繋がっているため、上方に折返し可能であり、主面部材１１から離散して紛失することもない。なお、しおり片４３を分離するための破断線Ｔに対して、しおり片４１，４２を分離するための破断線Ｔを他の破断線といい区別することがある。
【００１８】
主面部材１１の中央部より裏表紙折返部材３０の近い側には、上下縁が主面部材１１に接合された帯状部材５０が取り付けられている。典型的には帯状部材５０の上縁部５１及び下縁部５２は、図２に示すように、主面部材１１との間に適当な長さの間隙を持たせるためにマチ部５３が形成されている。
【００１９】
図４はブックカバー１０の組立前のポリプロピレン又は紙製のシート状の基材Ｋ１の状態を示す展開図である。図４において、図１におけるブックカバー１０と同一機能部分に同一符号を付した。この組立前の基材Ｋ１の所定箇所を接合することでブックカバー１０を製造する。また、帯状部材５０は別部品として接合する。
【００２０】
このように構成されたブックカバー１０は、次のようにして使用される。すなわち、図３に示すように、書籍１００の表表紙１０２を主面部材１１と表表紙折返部材２０との間に差し込んで保持させ、裏表紙折返部材３０を折返して、書籍１００の裏表紙１０３を主面部材１１との間に挟み込む。なお、必要に応じて帯状部材５０に裏表紙折返部材３０と共に本体印刷紙１０１を差し込むことができる。帯状部材５０にはマチ部５３が設けられていることから、十数枚程度の本体印刷紙１０１を差し込む事ができ、しおり片４１〜４３と異なり比較的固定的なしおりとして活用することができる。
【００２１】
次に、しおり部材４０に設けられた任意の破断線Ｔを使用者が破断して、しおり片４１〜４３として分離させる。しおり部材４０の下縁部は主面部材１１に溶着されていることから、通常の使用状態であればしおり片４１〜４３が主面部材１１から離脱することなく紛失の危惧は無い。このようなしおり片４１〜４３は、使用者が適宜、本体印刷紙１０１に挟み込むことで使用できる。なお、しおり片４１〜４３は下縁部で主面部材１１の下縁部に接合されていることから、自重により垂れ下がっても、書籍１００よりも下方外側に垂れ下がって、見開きページ上に重ならないため、使用者が書籍１００を読んでいる際に邪魔になることは無い。仮にしおり部材４０をその上縁部で主面部材１１に接合した場合、しおり片４１〜４３はその自重により垂れ下がって、読書中にその書籍１００の見開きページ上に重なるため、非常に煩わしいものとなる。しおり片４１〜４３を使用する際には例えば右手親指でしおり片４１〜４３を見開きページ側に織り込みながら書籍を閉じればよく、非常に使い勝手が良い。
【００２２】
しおり部材４０には複数の破断線Ｔが刻まれ、複数のしおり片４１〜４３に分離する事ができるので、同時に複数のページの目印として用いる事ができる。勿論、１ページの目印としてだけ用いたい場合にはいずれか一つの破断線Ｔだけを破断することで、単一のしおり片、例えばしおり片４１だけを利用することができ、他の不要なしおり片４２，４３が邪魔になることも無い。勿論いずれかの破断線Ｔに沿ってしおり部材４０を破断することで、任意の幅で単一のしおり片（４１，４１＋４２，４１＋４２＋４３）として用いることもできる。
【００２３】
上述したように本実施形態に係るブックカバー１０によれば、利用する際に破断線Ｔに沿ってしおり部材４０を破断することでしおり片４１〜４３として利用できるしおり部材４０を、主面部材１１、表表紙折返部材２０及び裏表紙折返部材３０と同工程で図４に示すような１枚の基材Ｋ１から切り出すことができ、その切り出し工程で破断線Ｔも同時に形成する事ができ、さらに表表紙折返部材２０と同工程でしおり部材４０の下縁部を主面部材１１に接合することにより、製造することができるので、別工程を必要とせず、製造コストを抑えることができる。また、しおり部材を使用者が適宜破断することで容易にしおりとして使用する事ができる。さらにしおり片を使用する際には、読書の進捗程度に応じて変化する特定ページまでの厚みに柔軟に対処してそのページ間から外れにくく、それを使用しない読書中にも長すぎて邪魔になることもなく、そして見開きページに重なって邪魔にもならず、しおり片として見開きページに挟み込む際には下側から親指により押し上げて当該ページ間に挟みこむ簡易な作業でしおりとして活用でき非常に使い勝手が良いものとなる。
【００２４】
なお、しおり部材４０の印刷により、しおり片４１〜４３のそれぞれの色・模様を変えることで、しおりを使い分ける場合の識別性を向上させるようにしてもよい。
【００２５】
図５はブックカバー１０の第１変形例であるブックカバー１０Ａを示す説明図である。図５において図１〜図４と同一機能部分には同一符号を付し、その詳細な説明は省略する。ブックカバー１０Ａにおいては、上述したしおり部材４０の代わりに表表紙折返部材２０とは別部材のしおり部材４０Ａが形成されている。この場合、しおり部材４０Ａは、表表紙折返部材２０とは別工程でその下縁４０ａを主面部材１１に接合させる。また、下縁４０ａにマチ部４１ａを形成することで、厚さのある書籍１００であっても、しおり部材４０Ａをしおり片４１〜４３として利用することができる。
【００２６】
本変形例においても、上述したブックカバー１０と同様の効果が得られると共に、厚さのある書籍１００にも対応することが容易となる。
【００２７】
図６はブックカバー１０の第２変形例であるブックカバー１０Ｂを示す説明図である。図６において図１〜図４と同一機能部分には同一符号を付し、その詳細な説明は省略する。ブックカバー１０Ｂにおいては、上述したしおり部材４０の代わりに表表紙折返部材２０と一体的にしおり部材４０Ｂが形成されている。しおり部材４０Ｂは、その上縁部が階段状に形成されており、その段差に沿って破断線Ｔがしおり部材４０Ｂに刻まれている。任意の破断線Ｔで破断すると３種類の異なる長さのしおり片４１〜４３として用いることができる。このため、しおりを使い分ける場合の識別性を向上させることができ、またしおり片を差し込むページまでの厚みに応じて長さのしおり片４１〜４３を適宜使い分ける事ができる。
【００２８】
本変形例においても、上述したブックカバー１０と同様の効果が得られると共に、目的に応じてしおりを使い分けることができる。
【００２９】
図７はブックカバー１０の第３変形例であるブックカバー１０Ｃを示す説明図である。図７において図１〜図４と同一機能部分には同一符号を付し、その詳細な説明は省略する。ブックカバー１０Ｃにおいては、上述したしおり部材４０の代わりに表表紙折返部材２０と一体のしおり部材４０Ｃが形成されている。しおり部材４０Ｃは、その上縁部及び下縁部が主面部材１１に接合されている。さらに、上縁部側に切欠部Ｐ１が、下縁部側に切欠部Ｐ２がそれぞれ形成されている。
【００３０】
しおり部材４０Ｃは、破断線Ｔで破断すると２種類のしおり片４４，４５が形成される。しおり片４４は主面部材１１の上縁部側に接合され、しおり片４５は主面部材１１の下縁部側に接合されている。このため、上方からのしおり片４４と下方からのしおり片４５を適宜使い分けて、利便性を向上させることができる。
【００３１】
なお、しおり片４５はしおり部材、しおり片４４はしおり部材とは別の他のしおり部材として区別され得る。
【００３２】
図８はブックカバー１０の第４変形例であるブックカバー１０Ｄを示す説明図である。図８において図１〜図４と同一機能部分には同一符号を付し、その詳細な説明は省略する。
【００３３】
ブックカバー１０Ｄにおいては、上述したしおり部材４０の代わりに帯状部材５０の右端側には、一体的に、かつ、上下方向に沿った破断線Ｔを有して形成されると共に、主面部材１１の下縁端に接合され、上方に延びるしおり部材４０Ｄを備えている。
【００３４】
しおり部材４０Ｄは、使用者が破断線Ｔで破断することで、３本のしおり片４６〜４８を別々に帯状部材５０から分離して別体のしおりとして機能させることができる。しおり部材４０Ｄは、主面部材１１と一体的にかつ折返し可能に形成される。これらしおり片４６〜４８は、書籍１００の目的とするページ及びそれに対向するページ間に挟み込まれるものである。
【００３５】
図９〜図１１は、参考例としてブックカバー６０を示す説明図である。図９及び図１０に示すように、ブックカバー６０は、書籍１００の表表紙１０２及び裏表紙１０３を覆って保護するための横長の長方形状の主面部材６１を備えている。主面部材６１は、例えば書籍の一例である単行本の表紙を覆って保護するためのものであるため、主面部材６１は、単行本の表紙を広げた大きさとほぼ同じ大きさに形成される。
【００３６】
横長の長方形状の主面部材６１と、主面部材６１の一端側から延びて表表紙１０２内側へ折返して形成され、書籍１００の表表紙１０２の内面側に沿って設けられると共に、その上縁部及び下縁部が主面部材６１に接合された表表紙折返部材７０と、主面部材１１の一端側から延びて裏表紙１０３内側へ折返して形成され、書籍１００の裏表紙１０３の内面側に沿って設けられた裏表紙折返部材８０とを備えている。
【００３７】
表表紙折返部材７０は、書籍１００の表表紙１０２を差し込んで保持するためのものであり、裏表紙折返部材８０は、書籍１００の裏表紙１０３を差し込んで保持するためのものである。
【００３８】
表表紙折返部材７０の他端側には、一体的にしおり部材９０を備えている。表表紙折返部材７０及びしおり部材９０との間には、破断線Ｔが形成されている。破断線Ｔは溝状に形成されており、手の力で容易に破断できる。しおり部材９０は、使用者が破断線Ｔで破断することで、表表紙折返部材７０から分離させることができる。
【００３９】
主面部材６１の中央部より裏表紙折返部材８０の近い側には、上下縁が主面部材６１に接合された帯状部材６５が取り付けられている。帯状部材６５の上縁部６６及び下縁部６７は、マチ部が形成されている。
【００４０】
図１１はブックカバー６０の組立前のポリプロピレン材又は紙の基材Ｋ２の状態を示す平面図である。図１１において、図９におけるブックカバー６０と同一機能部分に同一符号を付した。この組立前の基材Ｋ２の所定箇所を接合することでブックカバー６０を製造する。また、帯状部材６５は別部品として接合する。
【００４１】
このように構成されたブックカバー６０は、次のようにして使用される。すなわち、図１０に示すように、書籍１００の表表紙１０２を表表紙折返部材７０に差し込んで保持し、裏表紙折返部材８０は、書籍１００の裏表紙１０３を差し込んで保持する。なお、必要に応じて帯状部材６５に本体印刷紙１０１を挟む。帯状部材６５にはマチ部が設けられていることから、十数枚程度の本体印刷紙１０１を挟み込むことができる。
【００４２】
次に、しおり部材９０に設けられた破断線Ｔを使用者が破断して、表表紙折返部材７０から分離させることができる。分離された後のしおり部材９０は、図１０に示すように、しおりとして用いることができる。
【００４３】
上述したように参考例に係るブックカバー６０によれば、しおり部材９０を破断することでしおりとして利用することができる。したがって、しおり部材９０が一体に取り付けられているにも関わらず、図１１に示すような１枚の基材Ｋ２を切り出して、所定位置を接合するだけで製造することができるので、製造コストを抑えることができる。
【００４４】
なお、本発明は上述した各実施形態に限定されるものではない。上述のブックカバー１０は文庫本用のものを例にして説明したが、文庫本以外の書籍や日記帳、手帳、家計簿等の他の書籍類用のブックカバーにも適用できることは勿論である。
【符号の説明】
【００４５】
１０，１０Ａ，１０Ｂ，１０Ｃ，１０Ｄ…ブックカバー、１１…主面部材、２０…表表紙折返部材、３０…裏表紙折返部材、４０…しおり部材、４０ａ…下縁、４０Ａ〜４０Ｄ…しおり部材、４１〜４８…しおり片、５０…帯状部材、６０…ブックカバー、６１…主面部材、６５…帯状部材、７０…表表紙折返部材、８０…裏表紙折返部材、９０…しおり部材、１００…書籍、１０１…本体印刷紙、１０２…表表紙、１０３…裏表紙。
【図１】
2018187804.tif 000003
【図２】
2018187804.tif 000004
【図３】
2018187804.tif 000005
【図４】
2018187804.tif 000006
【図５】
2018187804.tif 000007
【図６】
2018187804.tif 000008
【図７】
2018187804.tif 000009
【図８】
2018187804.tif 000010
【図９】
2018187804.tif 000011
【図１０】
2018187804.tif 000012
【図１１】
2018187804.tif 000013